(57)【要約】      （修正有）【課題】位置検出と通信ができるテープを提供する。【解決手段】エレベータシャフトＳにおけるかご室Ｋの位置を決定するための測定テープ４は、エレベータシャフトＳに垂直に配置され、測定テープ４が少なくとも２つのフロアにわたって延在するように設計され、マーキングユニットを含み、測定テープ４の長さに沿って延在している。点検を改善するために、測定テープ４は、キャリアテープを含み、情報を送信するための送信デバイスを有し情報信号を送信するための通信ライン／供給ラインは、測定テープ４の長さに沿って延在し、電気信号を送信するための電気ライン又は光信号を送信するためのファイバグラスラインとして設計されている。【選択図】図１
2015051876.tif 000002
【特許請求の範囲】
【請求項１】
エレベータシャフトにおけるかご室の位置を決定するための測定テープであって、該測定テープは、前記エレベータシャフトに垂直に配置され、該測定テープの長さに関して該測定テープが少なくとも２つのフロアにわたって延在するように設計され、該測定テープは、前記エレベータシャフトにおける少なくとも２つの位置にマーク付けするためのマーキングユニットを含み、該マーキングユニットは、前記測定テープの長さに沿って延在する、測定テープであって、
該測定テープは、キャリアテープを含み、情報を送信するための送信デバイスを有し、
該送信デバイスは、情報信号を送信するための少なくとも１つの通信ライン及び／又は電力を供給するための少なくとも１つの供給ラインを含み、
該少なくとも１つの通信ライン及び／又は供給ラインは、前記測定テープの前記長さに沿って延在し、
前記通信ラインは、電気信号を送信するための電気ライン又は光信号を送信するためのファイバグラスラインとして設計されている
ことを特徴とする測定テープ。
【請求項２】
先行する請求項の１つに記載の測定テープであって、
上側及び／又は下側搭載デバイスが、前記エレベータシャフトの上側又は下側領域内に、具体的には、前記エレベータシャフトの天井又はフロアから、前記測定テープを懸架するために設けられている
ことを特徴とする測定テープ。
【請求項３】
先行する請求項のいずれかに記載の測定テープであって、
前記測定テープは、前記キャリアテープ及び少なくとも１つの複合層を備える複合テープとして設計されている
ことを特徴とする測定テープ。
【請求項４】
先行する請求項の１つに記載の測定テープであって、
少なくとも１つの接続接点が、前記上側及び／又は下側搭載デバイスの領域内でそれぞれ前記通信ラインに送信されるか又は前記通信ラインから送信される信号を、接触接続、及び／又は、供給、及び／又は、遮断するために設けられている
ことを特徴とする測定テープ。
【請求項５】
先行する請求項の１つに記載の測定テープであって、
前記通信ラインの少なくとも１つ及び／又は前記供給ラインの少なくとも１つは、前記上側及び／又は下側搭載デバイスの間で、あるいは、前記上側及び／又は下側搭載デバイスの領域内のそれぞれの接続接点の間で送信される信号を、接点接続、及び／又は供給、及び／又は遮断するための少なくとも１つの更なる接点を有している
ことを特徴とする測定テープ。
【請求項６】
先行する請求項の１つに記載の測定テープであって、
前記少なくとも１つの更なる接点は、プラグレセプタクルとして、及び／又は雌型プラグ接続部として設計され、具体的には、前記それぞれの更なる接点の取り外し可能な、及び／又は折畳み式の開口部カバーが存在している
ことを特徴とする測定テープ。
【請求項７】
先行する請求項の１つに記載の測定テープであって、
前記接触ライン及び／又は供給ラインの少なくとも１つが、ワイヤとして、又は印刷された導電経路として、又は接着結合された導電経路として、又はフレキシブルプリント回路上の導電経路として設計されている
ことを特徴とする測定テープ。
【請求項８】
先行する請求項の１つに記載の測定テープであって、
前記接触ライン及び／又は供給ラインの少なくとも１つが、シールドされ、具体的には、少なくとも１つのグラウンドラインがシールド目的のために設けられている
ことを特徴とする測定テープ。
【請求項９】
先行する請求項の１つに記載の測定テープであって、
前記接触ラインの少なくとも２つ、及び／又は前記接触ラインの１つと前記グラウンドラインの１つとが、シールド目的で、撚り合わせ方式、及び／又は十字交差方式で配置されている
ことを特徴とする測定テープ。
【請求項１０】
先行する請求項の１つに記載の測定テープであって、
前記通信ラインは、バスとして設計され、
該バスは、具体的には、単方向的に及び／又は双方向的にデータを送信するために設計されている
ことを特徴とする測定テープ。
【請求項１１】
先行する請求項の１つに記載の測定テープであって、
前記測定テープを接地し、前記ラインをシールドするための接地デバイスが存在し、
該接地デバイスが、前記少なくとも１つの通信ライン及び／又は供給ラインを囲繞するシールド用のケージ及び／又はケーシングとして設計されること、及び／又は、前記キャリアテープが、前記測定テープを接地するための接地デバイスとして設計され、具体的には、前記接触ライン及び／又は供給ラインの少なくとも１つが、接続可能な電子機器からガルバニック絶縁されていること
を特徴とする測定テープ。
【請求項１２】
先行する請求項の１つに記載の測定テープであって、
前記接地デバイスは、前記測定テープの一端のみで、具体的には上側端のみでグラウンドに接続可能、及び／又は、干渉防止キャパシタの形態のキャパシタンスを介して、他端、具体的には下側端でグラウンドに接続可能となるように設計されている
ことを特徴とする測定テープ。
【請求項１３】
先行する請求項の１つに記載の測定テープであって、
前記測定テープは、少なくとも３つの地点で、具体的には一定間隔でグラウンドに接続可能である
ことを特徴とする測定テープ。
【請求項１４】
先行する請求項の１つに記載の測定テープであって、
前記測定テープは、電圧を印加することによって長さを変化させるために電歪材料から少なくとも部分的に設計されている
ことを特徴とする測定テープ。
【請求項１５】
エレベータデバイス用の周辺デバイス、具体的には、位置決定デバイス又は安全デバイス又は通信デバイスであって、
先行する請求項の１つに記載の測定テープを有している、周辺デバイス。
【請求項１６】
先行する請求項の１つに記載の周辺デバイスであって、
前記接触ラインの少なくとも１つを介した信号のランタイム測定、及び／又は前記接触ラインの少なくとも１つのキャパシタンス測定、及び／又は前記接触ラインの少なくとも１つの導通チェックを実行することによって、及び／又は、ある位置において前記接触ラインの少なくとも１つに対する接続を試験するための接続試験デバイスを設けることによって、前記測定テープの破損及び／又は伸長について前記測定テープを試験するための試験デバイスが存在している
ことを特徴とする周辺デバイス。
【請求項１７】
エレベータデバイスであって、
先行する請求項の１つに記載の周辺デバイスが設けられている
ことを特徴とするエレベータデバイス。
【発明の詳細な説明】
【発明の詳細な説明】
【０００１】
本発明は、請求項１の前文に係るエレベータシャフトにおけるかご室の位置を決定するための測定テープ、請求項１５の前文に係る周辺デバイス、及び、請求項１７の前文に係るエレベータデバイスに関する。
【０００２】
測定テープ又はコードテープは、関連技術から知られており、前記測定テープ又はコードテープは、エレベータシャフトに沿って取り付けられて、位置マーキングを提供するため、かご室は、センサによってこれらの位置マーキングを読み取ることで、その現在位置を決定することができる。
【０００３】
上述のような測定テープ又はコードテープの構成は、公知・公用である。このため、ここでは特定の先行技術文献を開示しない。
本発明の目的は、簡略化された保守の可能性を提供するエレベータデバイスを提供できるようにすることである。
【０００４】
この目的は、請求項１、１５、及び１７を特徴付ける特徴によって、最初に特定された種類の測定テープ、周辺デバイス、及びエレベータデバイスに基づいて達成される。
本発明の有利な実施形態及び改良形態は、従属請求項において述べられる手段によって可能となる。
【０００５】
本発明に係る測定テープあるいはコードテープは、エレベータシャフトにおけるかご室の位置にマーク付けするように最初に設計され、エレベータシャフトは、少なくとも２つのフロアにわたって延在する。エレベータシャフトの長さに関して、測定テープは、少なくとも２つのフロアにわたって延在するように設計されるため、かご室は、各フロアにおいて測定テープを使用して当該かご室の位置を決定することができる。このために、測定テープは、エレベータシャフトにおける少なくとも２つの位置にマーク付けするためのマーキングユニットを有するため、かご室は、センサによってこれらのマーキングに基づいて当該かご室の現在位置を決定することができる。マーキングユニットは、測定テープの長さに沿って延在する。すなわち、マーキングユニットは、少なくとも測定テープのかなりの部分にわたって延在する。
【０００６】
したがって、本発明に係る測定テープは、信号を送信するための少なくとも１つの通信ラインを含む、情報を送信するための送信デバイスが設けられ、通信ラインが測定テープの長さに沿って延在するという点で区別される。信号は、具体的には、情報のキャリアとなり得る。本発明に係る測定テープは、したがって、測定テープの全長にわたって又は少なくとも測定テープの長さの広い部分にわたって延在する通信ラインを含むため、前記通信ラインはまた、フロアからフロアへと運ばれる。かご室が測定テープを明確に読み取ることができるようにするために、前記測定テープは、一般的に、かご室に対して露出される地点に取り付けられる。通信ラインを測定テープに直接取り付けるか又は前記測定テープに前記通信ラインを一体化するという本発明に係る手段によって、通信ラインは、有利には、特に容易にアクセス可能であり、また、簡単な方式でエレベータシャフトに実質的にどの地点でも遮断されるか又は接触され得る。具体的には、フロアからフロアへの通信が、この結果としてそれ故に可能である。
【０００７】
供給ケーブルを介して電力を相応に供給され得る、コントロールケーブルを介して制御され得る、又は、ケーブルを介してデータを転送し得る非常に多くの電気デバイス及び電子デバイスは、通常、エレベータデバイスと接続して設けられる。前記デバイスは、オペレータ制御電子機器、センサ、雰囲気制御デバイスを含む監視電子機器、照明デバイス等である。
【０００８】
しかしながら、安全デバイスのラインは、エレベータの安全運転及び人々の安全を保証するため、特に重要である。前記安全デバイスは、例えばドアセンサシステムと共に使用されて、閉鎖するドアに人が挟まれるのを防止する。更に、かご室の駆動装置は、例えば、ドアが開放したときにエレベータが離れ去ることが可能ではないように制御可能でなければならない。したがって、エレベータ、具体的にはその安全デバイスは、特定の方式で、連続して制御され、点検され、保守されなければならない。この点検を、簡単でかつ迅速な方法で、したがって、高いレベルのコストなしで実施できるようにするために、本発明に係る測定テープ上の対応する通信ラインは、容易にアクセス可能にされ得る。したがって、ケーブルシャフトにおける対応するラインについての複雑な探索は必要ない。本発明に係る測定テープもまた個々のフロアに沿ってルーティングされ得ることによって、各フロアからの簡単なアクセスが同様に達成されることができ、したがって、この改善されたアクセスが、点検オプションを著しく簡略化する。更に、この種のラインは、簡単に設置され、また、市販の測定テープを本発明に係る測定テープに置き換えることによって、既存のエレベータシャフトにおいて新たに使用され得る。
【０００９】
通信ラインは、電気ラインとして、あるいは、光信号を送信するために、例えばファイバグラスラインとして設計され得る。
実際の通信ラインに加えて、送信デバイスは、更に、電力を供給するための少なくとも１つの供給ラインも有することができ、そして、供給ラインは、具体的には、少なくとも１つの通信ラインに平行に配置され得る。有利には、対応する供給ラインに対する簡略化されたアクセスもまた、結果として保証される。
【００１０】
具体的には、新たに建てられた家の場合、経時的に「定着する」構造の影響が一般的に生じる。すなわち、建物は、材料負荷、建築材料の変化等によって経時的にある程度圧縮される。建物にエレベータを設置するときに最初からこの構造的影響を考慮に入れることができるように、位置マーキングは、例えば、かご室がその上に移動可能に支持されるエレベータフレームに取り付けられ得る。その理由は、フレームが、建物の「定着」のプロセスによって少なくとも直接影響を受けない、この場合、エレベータに対するマーキングの位置が変わらないからである。しかしながら、この種の手順は、建物が定着するとすぐに、フレーム上のマーキングが建物における個々のフロアの実際の位置にもはや対応しないという問題を伴い得る。
【００１１】
しかしながら、測定テープが、フレームに固定されるのではなく、エレベータシャフトに、具体的には、測定テープが、連続的に又は少なくとも幾つかの地点でエレベータシャフトに固定して接続される場合、測定テープは、建物が定着すると、屈曲し、変形し、又は少なくとも応力を受け得る。測定テープは、結果として損傷を受ける場合がある。更に、屈曲した測定テープは、対応する地点において不正確な方法でかご室の位置にマーキングし、場合によって、読み取り不能となり得る。したがって、測定テープを移動可能な方法で支持すること、及び、本発明の１つの変形の実施形態では、具体的には、前記測定テープを建物の天井から懸架することが有利である。建物が定着するにつれて、天井から懸架される測定テープは、同様に移動することになる。測定テープは、次に、個々の地点で固定されないが、エレベータシャフトに沿って移動し得るようにだけ支持されるため、屈曲することなく前記エレベータシャフトと共に移動し得る。位置は、その後、依然として正確に読み取られ得る。その支持デバイスと比較した測定テープの相対位置の時間プロファイルの比較を使用して、建物が定着した程度を決定し得る。
【００１２】
搭載デバイスを、測定テープの下側領域に追加的に設けることもでき、前記搭載デバイスは、建物が定着したときでも、測定テープが応力及び屈曲を受けないように、測定テープが支持される、好ましくは移動可能に支持されることを可能にする。
【００１３】
具体的には、測定テープがエレベータシャフトにおいて懸架されると、前記測定テープは、具体的にはその固有の重量による高いレベルの機械的負荷をその長さにわたって経験する。更なる機械的負荷は、測定テープが、かなり自由にアクセス可能であり、したがって、同様にエレベータシャフトにおける風の流れ及び同様にかご室の移動によってもたらされる風の流れにさらされる結果として生じる。かご室が比較的高い速度で部分的にシャフトを通って移動することが留意されるべきである。更に、かご室がエレベータシャフトの大きな部分を既に占めていることが留意されるべきである。その結果、かご室は、かご室と共に大きな質量の空気を移動させ、前記大きな質量の空気は、前記かご室が移動するにつれて、かご室の前に押し出される。これは、測定テープに作用する渦巻く空気ももたらす。これのために、本発明の１つの例示的な実施形態では、測定テープが電気ライン及び位置マーキングからなるだけでなく、安定性領域について、測定テープの安定性を増加させるキャリアテープが設けられることも有利となり得る。この種のキャリアテープは、例えば鋼から製造され得る。そうでなければ、測定テープの周りで過度に空気が渦巻き、損傷が発生するリスクが存在することになるであろう。
【００１４】
同じ理由で、測定テープは、本発明の展開において、有利な方法で少なくとも２つの複合層を備える複合テープとして同様に設計され得る。更に、絶縁層又はシールド層もまた、複合層として使用されることができ、前記絶縁層又はシールド層は、したがって、信号送信を干渉なしで継続することを保証する。しかしながら、具体的には、本発明の１つの例示的な実施形態では、全体的により安定にするように、測定テープを、少なくとも部分的に炭素繊維強化方式及び／又はファイバグラス強化方式で設計することが実現可能である。したがって、この種の強化は、例えば、測定テープが、その固有の重量によって過度に伸長しないことを保証し得る。これは、最初に、マーキングが経時的に歪み、全体の長さに関連する位置情報が更に一層著しく変化し、不完全になることをもたらすことになるであろう。しかしながら、固有の重量による伸長は、例えば、ライン又は測定テープの個々の層に関する引張り負荷の増加をもたらすことにもなるため、テープの伸長、破断、割れ、せん断等が排除されないことになるであろう。
【００１５】
しかしながら、測定テープの強化は、本発明の１つの実施形態では、一定のねじり剛性を達成でき、測定テープが、空気の流れ又は同様なものによって撚り合わされることも、せん断されることもできないように強化が組み込まれ得るという利点も有する。したがって、測定テープは、良好な状態のままであり、より長い間使用され得る。
【００１６】
本発明の１つの有利な変形の実施形態では、マーキングユニットは、その上でマーキングユニットがかご室によって読み取られ得るキャリアテープの側に取り付けられる。したがって、マーキングを備える側は、有利には、かご室が向くキャリアテープの側であってもよい。送信デバイスは、その後、キャリアテープの対向する側に配置され得る。この配置構成はまた、テープが、したがって、両側で等しい負荷を受ける可能性があるため、安定性の理由で有利である。更に、送信デバイスのラインは、その後、かご室から回避される側に配置され、したがって、かご室の移動及び関連する機械的負荷に直接さらされない。したがって、損傷もまた、この対策によって低減され得る。
【００１７】
本発明の展開では、マーキングユニットは反射体層として設計されることができ、マーキングは、前記反射体層上の印刷又はコーティングとして設けられる。これは、マーキングとテープの残りとの間に、可能な最大のコントラストを可能にする。「ライン」又は「フィールド」と、それらの間に配置される「光領域」との間の高いコントラストは、したがって、具体的にはマーキングがバーコード（１次元バーコード又は２次元コード）の形態であるときに可能である。コーティング又は印刷は、したがって、例えば黒であるように設計され得る。できる限り高いコントラストを達成するために、印刷又はコーティングは、対応する光を、可能な最大限まで吸収し得る。赤外光が一般的に使用される。しかしながら、可視光（波長：約４００ｎｍ〜８００ｎｍ）を使用することも実現可能である。反射体層もまた、異なる方法で設計され得る。前記反射体層は、ポリエステル又はポリカーボネートからなるプラスチック層であってもよい。できる限り効率的に光を反射させて戻すことができるようにするために、反射構造又はコーティングは、かご室から回避される側に形成され得る。これは、マーキングができる限り信頼性がある方法で読み取られ、したがって、エレベータの運転手順においてほとんど誤りが起こらないことを可能にする。
【００１８】
通信ラインを効果的に保護することができるようにするために、前記ラインは、本発明の１つの実施形態においてキャリアテープの一方の側に配置される絶縁層に埋め込まれ得る。前記ラインは、その後、完全に閉囲され、具体的には機械的に移動可能な部品に接触できない。安全性及び信頼性が、結果として改善され得る。
【００１９】
測定テープの上側領域及び下側領域、すなわち、具体的には測定テープがエレベータシャフトに固定されるか又は移動可能に支持される場所において、接触するための、主に、送信される電気信号の供給、及び／又は遮断のための接続接点が、通信ラインにおいて又は通信ライン上に設けられ得る。電圧もまた、前記接続接点において、測定テープ内のラインに印加され得る。測定テープの端部の一方の端部においてだけでなく、両端の間の他の地点においてもタッピングが可能となるように、接触するための、送信される電気信号の供給、又は、遮断のための少なくとも１つの更なる接点が、上側及び下側搭載デバイスの間に、又は、搭載デバイスに取り付けられた接点接続部の間に設けられ得る。したがって、信号又は電圧は、測定テープの上側端部と下側端部との間の任意の地点で遮断され得る。その結果、この情報、電圧等がエレベータシャフト全体を通して利用可能になることができる。具体的には、この種の更なる接点は、測定テープが、できる限り簡単な方法で対応する地点でアクセスされ得るように、個々のフロア上に設けられ得る。
【００２０】
接続部又は更なる接点は、必要とされるときに常に利用可能であるように、測定テープに予め搭載され得る。具体的には、これらの更なる接点を、一定間隔で測定テープに取り付けることが実現可能であるため、本発明のこの実施形態によれば、測定テープのできる限り柔軟性のある使用が達成され得る。したがって、各フロア上に又は各フロアのレベルにおいてだけでなく、一定の限度まで、任意の所望の数でまた任意の所望の集中度合でも、更なる接点を設けることも可能である。
【００２１】
更なる接点は、有利には、意図しない接触が起こっても、ラインとの接触が確立されないように、プラグレセプタクルとして又は雌型プラグ接続部として設計され得るが、適したプラグだけが、接触を確立するために設けられなければならない。更に、安全性の理由で、更なる接点の取り外し可能な又は折畳み式の開口部カバーが設けられ得る。したがって、この種の更なる接点は、一般的に、具体的には安全でまた同様に容易にアクセス可能な「プラグ・アンド・プレイ」接続を構成する。
【００２２】
グラスファイバ等の光学ラインが使用される場合、光をカップリングして入力し、カップリングして出力するための光学デバイスもまた、電気接点の代わりに、接続接点又は更なる接点として使用され得る。
【００２３】
使用されるライン、供給ライン及び通信ラインは、本発明に係る種々の設計、例えば、ワイヤ、印刷された導電経路、接着結合された導電経路、又はフレキシブルプリント回路上の導電経路を有し得る。単一測定テープ内でこれらの設計の２つ以上の設計を設けることも可能である。例えば、供給ライン、又は特に重要なラインをワイヤとして設計することが実現可能である一方、より２次的なラインは、重量及び特に空間を節約できるように、導電経路として設計される。安定した接地、同時に、他の隣接するラインのための大きなシールドオプションを達成するために、グラウンドケーブルをワイヤとして設計することも特に有利となり得る。
【００２４】
それらの平坦な設計のために、導電経路は、最初は、分離するのが容易であるため、機械的破壊を受け易い。しかしながら、導電経路が、例えば、フレキシブル板材料上に印刷される場合、機械的破断は回避され得る。更に、平坦接点もまた、導電経路を使用して効果的に実現され得る。
【００２５】
電気信号が、干渉又は影響なしでラインを通して伝搬することができ、また同様にそれ自体、他のライン及び前記ライン内を送信される信号と干渉できないために、通信ライン又は供給ラインの少なくとも１つがシールドされ、具体的には、少なくとも１つのグラウンドラインがシールド目的のために使用され得る。具体的には、接触ライン又は供給ラインの少なくとも２つは、したがって、互いからシールドされ得る。
【００２６】
原理上、通信ライン、供給ライン、及びグラウンドラインは、測定テープに沿って平行に配置され得る。本発明の１つの展開では、シールドとしてのラインの平行配置構成から逸脱することが可能である。その場合、２つのライン、２つの接触ライン又は２つの供給ライン、１つの接触ライン及び１つの供給ライン、あるいは、１つの接触ライン又は１つの供給ラインは、グラウンドラインと撚り合わされ得る。このシールドの方法は、特に効果的であり、更に、安定性の増加をもたらし得る。その理由は、撚り合わされるラインが、伸長に関する移動及び機械的移動についての追加の遊びのエリアを有するからである。同様に、導電経路を、メアンダー方式で積み重ねて配置することで、ワイヤの撚り合わせと同様のシールド効果を達成することが実現可能である。
【００２７】
送信デバイス内でルーティングされる個々のラインは、具体的には、２つの供給ライン及びデータ送信のための２つのラインを含み得る。個々のラインを通信バスとして設計することも実現可能であり、原理上、全てのタイプのバス、すなわち、例えば、ＣＡＮバス又はＲＳ−４８５を含むバスを使用可能である。通信ラインは、単方向的にあるいは双方向的にデータを送信し得る。
【００２８】
特に有利なオプションは、シールドとしてキャリアテープを使用することである。具体的にはキャリアテープが金属から設計される場合、キャリアテープは、（少なくとも一方の側の）ラインの全てにとって十分となり得る大きな表面積のシールドを提供する。安定性の理由で、いずれにしても肉厚になるように設計されるキャリアテープは、シールド効果を増大する。キャリアテープは、シールド目的のために接地され得る。
【００２９】
原理上、測定テープの良好な接地を保証できるようにするための２つの有利な実施形態が存在する。第１に、接地は、測定テープ上のまさに１つの地点で、具体的には、測定テープが、いずれにしても建物又はエレベータシャフトに固定的に接続される上側懸架の領域において実施され得る。この方策は、最初は、異なる接地点間で補償電流がほとんど流れることができないという利点を有する。具体的には、第２の接地が比較的遠くに設けられる場合、補償電流がこれらの２つの地点間で発生する場合があり、補償電流は、次に、信号ラインに影響を及ぼす。
【００３０】
しかしながら、１つの地点だけで接地することは一般的に十分でない。すなわち、更なる接地が別途実施されない場合、長い測定テープは、アンテナのように作用し、具体的には、無線周波数電磁信号を捕捉し得る。アンテナ効果を回避するために、測定テープは、キャパシタ、いわゆる干渉防止キャパシタによって、測定テープの他端で、すなわち本実施形態における下側端部でグラウンドに接続され得る。前記キャパシタは、その後、無線周波数振動を消散するためのバイパスのように作用する。更なる有利なオプションは、グラウンドに対する複数の接触を確立することであり、個々の接続部間の距離は、しかしながら、すなわち例えば、個々のフロアのレベルにおいて著しく大きくなるように選択されない。補償電流は、その後、無視できるほどに低くなり、信号ラインに影響を及ぼさない。
【００３１】
更なる干渉を回避するために、ガルバニック絶縁部が、具体的には、接触ラインと、接続され得る電子システムとの間に設けられ得る。
測定テープの特に効果的なシールドを達成するために、測定テープの周りにシールドケージを配置することが可能である。ケージは、接地されるため、ファラデーケージのように作用することができ、ファラデーケージは、したがって、同様に送信デバイスを囲繞し、可能である場合、信号ラインを外部干渉がない状態に維持する。この種のシールドケージは、特に有利なシールドとなる場合があり、非常に効果的である。
【００３２】
原理上、本発明の１つの実施形態において電歪材料を使用することも実現可能であるため、測定テープは、特定の電圧が印加されると長さが変化する。この実施形態は、具体的には、例えば固有の重量の結果として長さが変化する場合に補償を提供するために使用され得る。
【００３３】
測定テープは、例えば位置決定デバイス、安全デバイス、又は通信デバイス等のエレベータデバイスの複数のデバイス又は周辺デバイスと共に使用され得る。
したがって、本発明に係る位置決定デバイスは、対応する測定テープが、位置決定用のマーキングのために使用されるという点で区別される。
【００３４】
通信ライン及び供給ラインは、安全デバイスと接続して使用され得る。安全デバイスは、個々のセンサ及びスイッチを監視し、したがって、同様にかご室の駆動装置に作用し、前記駆動装置を制御し得る。かご室は、全てのドア、すなわち、シャフト自体に取り付けられるシャフトドアとかご室上に位置するかご室のかご室ドアの双方が正しく閉鎖しているときにだけ移動し得る。例えば全てのドアが閉鎖しているかに関してのこの情報は、測定テープによって送信され、各フロアで利用可能にされ得る。個々のフロアに関するデータ、例えば、特定のシャフトドアが正しく閉鎖され、したがって、危険が全く存在しないかに関するデータもまた、前記ラインに供給され得る。
【００３５】
本発明の１つの展開では、本発明に係る安全デバイスは、例えば、測定テープのラインを通る信号のランタイム測定が実施されること、測定テープのキャパシタンス測定が実施されること、又は、種々のラインについての簡単な導通試験が実施されることによって、破断又は伸長現象について測定テープを試験するための試験デバイスを更に提供し得る。安全性は結果として増加し得るが、対応する欠陥が自動的に試験され得るため、保守及び点検を改善できることも可能である。
【００３６】
具体的には、例えば個々のフロアに対する、ライン内の接続もまた試験されることができ、このために、接続試験デバイスが、本発明の１つの実施形態に設けられてもよい。更に、結果として、安全性が増し、点検が改善され得る。
【００３７】
更に、本発明に係る通信デバイスは、この種の測定テープと共に使用され得る。その理由は、通信が、具体的には個々のフロア間で、この種の測定テープによって有利な方法で実施できるからである。
【００３８】
したがって、本発明に係る位置決定デバイス、安全デバイス、又は通信デバイスのこの種の例示的な実施形態は、有利には、本発明に係るエレベータデバイスで使用されることができ、このデバイスにおける測定テープのすでに述べた利点の全てがそこで使用され得る。
【図面の簡単な説明】
【００３９】
【図１】測定テープを有するエレベータシャフトの略図を示している。
【図２】ラインを有する測定テープを示している。
【図３】測定テープの断面を示している。
【図４】グラウンド端子及び干渉防止キャパシタを有する測定テープを示している。
【図５】グラウンド接続部を有する測定テープを示している。
【図６】測定テープ内でルーティングされる平行ラインを示している。
【図７】撚り合わせ式ラインルーティングを示している。
【図８ａ−８ｂ】メアンダー導電経路を示している。
【図９】遮断接点を有する接続デバイスを示している。
【図１０】クリンピングデバイスを示している。
【図１１】ばね装荷式接触ピンを示している。
【図１２】キャパシティブ接続を示している。
【図１３】単一ループインダクティブ接続を示している。
【図１４】マルチループインダクティブ接続を示している。
【図１５】測定テープ上のプラグ接触要素を示している。
【図１６】バスを有する安全システムを示している。
【図１７】測定テープ／コードストリップを読み出すときのかご室上の位置センサを示している。
【図１８】光学スイッチを示している。
【図１９】移動可能接触要素を有する接続デバイスを示している。
【図２０】移動可能接触要素を有する接続デバイスを示している（上面図）。
【発明を実施するための形態】
【００４０】
本発明の例示的な実施形態は図面に表わされる。測定テープ及び対応する接続デバイスが共に表わされる。測定テープ及び対応する接続デバイスは、更に詳細に説明され、更なる詳細及び利点を特定する。
【００４１】
図１は、エレベータシャフトＳを有するエレベータデバイスＡを示し、エレベータデバイスＡ内で、かご室Ｋが移動可能に支持される。測定テープ１は、エレベータシャフトに沿って懸架方式で配置されている。測定テープ１は、設置デバイス２によって、その上側端部だけで固定される。複数のマーキングＭ１、Ｍ２、Ｍ３、Ｍｎを有するマーキングユニットは、かご室Ｋに向く前面３上に配置されている。反射層は、測定テープ１全体にわたって長手方向に延在する測定テープ１の前面３上に配置されている。マーキングＭ１、Ｍ２、Ｍ３、Ｍｎは、印刷された２Ｄコードとして設計されている。
【００４２】
マーキングＭ１、Ｍ２、Ｍ３、Ｍｎが暗号化されるため、位置決定デバイスは、この符号化されたデータを取得できるようにするため、センサで検出されたこれらのマーキングを解読／復号するための特定のキーを必要とする。本事例では、シャフトＳにおける対応するエレベータかご室Ｋの位置は、マーキングＭ１、Ｍ２、Ｍ３、Ｍｎによってマーク付けされている。かご室Ｋが対応する位置に配置され、そのセンサが、例えばマーキングＭ２を読み出す場合、マーキングＭ２上の符号化された位置情報は、そのため、エレベータかご室Ｋの現在位置に対応する。
【００４３】
通信ライン５は、裏面、すなわち、かご室Ｋから見て外方に向く測定テープ１の面４上に配置され、通信ライン５を介して情報が送信されることができる。これらの通信ライン５は、測定テープ１の全長に沿って上部から底部まで延在する。接続デバイスＶ１、Ｖ２、Ｖｎはまた、個々のフロアのレベルに配置されている。すなわち、これらの接続デバイスＶ１、Ｖ２、Ｖｎのうちの１つは各フロアに配置されている。マーキングＭ１、Ｍ２、Ｍ３、Ｍｎは、互いから離間して配置される必要はなく、むしろ、各マーキングが、先行するマーキングに直接追従することも考えられる。実際には、現在位置が各位置で読み出され得るように、シャフトＳの長さにわたって、又は測定テープ１の長さにわたって、「連続的に」マーキングを配置することが有利となり得る。
【００４４】
更に、シャフト内のある位置が、別々にマーク付けされるか又は符号化されることが考えられる。例えば、いわゆる「安全ゾーン」が、シャフトの各フロア入口の周り、又は、各シャフト開口部の周りに存在する。エレベータが、例えば緊急時に、これらの安全ゾーンのうちの１つの安全ゾーン内で停止しなければならない場合、かご室がフロアの指定された出口位置に配置されなくても（例えば、かご室フロアがシャフト開口部と同一平面である場合）、ドアは、そのため、開放され得る。この緊急状況では、安全ゾーンの出口が可能であり、したがって、エレベータの安全デバイスによって、例えば、かご室のドアが解錠されることを可能にすることによって、安全ゾーンの出口が無条件に許容されなければならない。
【００４５】
接続要素Ｖ１、Ｖ２、Ｖｎは、通信ライン５に対する接触要素を有する。ライン６は、これらの接触要素を介して電子機器ユニット７まで続く。本事例では、電子機器ユニット７は、安全デバイスであり、この安全デバイスは、例えば、エレベータドア、例えばエレベータシャフトＳに取り付けられるシャフトドア、又はかご室Ｋ上のかご室ドアが、移動中に適切に閉鎖しているか、又は、出るときに開放されているか、或いは、例えばドアの閉鎖によって生じる誤動作が存在するかどうかを監視する。
【００４６】
光学センサ８が、かご室Ｋ上に配置され、光学センサ８は、マーキングＭ１、Ｍ２、Ｍ３、Ｍｎを読み出すために使用され、取得されたデータを位置決定デバイスに送る。
図２は、キャリアテープ１１を有する測定テープ１０の略図を示す。測定テープ１０上の前面の２つの側縁部は空いたままにされる一方、マーキングとしてその上に２Ｄコードが印刷されている反射層を備えるマーキングストリップ１３は中央に取り付けられる。キャリアテープ１１自体は、鋼テープとして設計されている。通信ライン１４は、キャリアテープ１１内に組み込まれ、導電性ワイヤで構成されているが、導電性ワイヤは、鋼テープに対して絶縁されている。図２に係る特定の実施形態では、通信ライン１４は、平行に延在する。明確にするために、ライン１４は、エリア１５内にキャリアテープがない状態で図示されている。したがって、側部エリア１２が空いたままにされるため、側部エリア１２は、マーキングストリップ１３が覆われることなく支持体によって部分的に封じられることができる。マーキング又は２Ｄコード１３を読み出すことができるように、対応する符号化キーが位置決定デバイス内に記憶されなければならない。
【００４７】
図３は、こうした測定テープ２０の構造の詳細図を示す。このテープ２０は、基本成分としての鋼から形成されるキャリアテープ２１を有する。マーキング２２は、図３におけるキャリアテープ２１の上側に配置され、この上側は、最初は、表面上に透明プラスチック層２３を有する。ある種のエアクッション２４が、プラスチック層２３の主要な部分とキャリアテープ２１との間に配置される。ポリエステル又はポリカーボネートで一般に作られるプラスチック層２３は、エアクッション２４に向かって鋸状に形成される。位置情報を符号化するためのコード印刷２５は、次に、プラスチック層２３の外側表面上に配置されている。プラスチック層２３は、縁エリア２６でキャリアテープ２１に取り付けられる。エアクッション２４は、例えば、透明プラスチック層２３を通過するエレベータかご室の光学センサからの光が、プラスチック層２３とエアクッション２４との間の鋸状境界表面で反射して戻るために必要である。一方、光がコード印刷２５に当たる場合、光は、大幅に吸収される。こうして、コードが読み出され、記録される。
【００４８】
絶縁層２７は、最初、キャリアの他方側上に配置されている。銅又はアルミニウムライン２８は、この絶縁層２７に直接位置付けられる。これらのライン２８は、次に、絶縁体２９によって覆われる。ライン２８は、そのため、絶縁体２７と２９との間に埋め込まれる。印刷された導電経路３０は、次に、絶縁体２９上に配置され、絶縁体２９は、次に、絶縁層３１によって覆われる。測定テープは、そのため、そのマーキング面上に反射ストリップを含み、反射ストリップの一部のエリアだけが、マーキング用の黒エリア（インプリンティング）によって覆われる符号を表示する。マーキングが測定テープの長さに沿って測定テープのマーキング面上にある唯一の中央ストリップを設け、側部エリアを少なくとも部分的に空いたままにすることが有利となり得る。この対策は、測定テープが、ほとんどの部分で、一定間隔でしっかり固定されるのではなく、シャフトの上側エリアで懸架され、その他の部分で移動可能に支持されるため有利である。この支持は、有利には、コードテープが縁で封じられるよう、部分的エンクロージャによって実施され得る。しかしながら、エンクロージャは、測定テープを完全に囲むのではなく、開口ギャップを残す。対称性の理由で、このギャップは、したがって、測定テープの中央に存在し得る。
【００４９】
新しい建物が建てられると、「定着」の効果は、経時的に顕著になる。すなわち、建物の高さが経時的にわずかに減少する。測定テープが一定間隔で固定された場合、測定テープは、建物の高さが減少又は圧縮する場合に、波状に膨出することになる。しかしながら、測定テープが移動可能に支持される場合、測定テープは支持体内で移動でき、また、支持体は開口される必要がなく、測定テープもまた再調整される必要がない。予め画定された縁エリアは、具体的には、この事例では、連続する途切れのないマーキングが全く必要とされないため、例えば、各フロア出口の周りで、安全ゾーンをマーク付けするための個々のマーキングのために使用されることができ、その縁エリアは、支持体によって覆われ得る。
【００５０】
反射は、例えば、同様に小さな鏡面球によって又はプリズムの配置構成によって、反射テープ内の後方反射体を使用して達成され得る。曲面ミラーの取り付けもまた、一般的に可能である。
【００５１】
主に鋼から形成されるキャリア材料２１は、一方で、高い機械的安定性を保証する。更に、キャリア材料２１はまた、ガラス繊維強化型又は炭素繊維強化型であってもよい。非常に長い測定テープが、無視できない重量を同様に有する場合があり、したがって、経時的に再び同様に伸長する場合があるため、この強化は特に有利である。測定テープのこの伸長は、それにより、低減されることができる。しかしながら、概して、測定テープはいずれにしても、エレベータシャフトＳの幾つかの負荷、具体的には、一方で、そこで支配的である温度及び温度差、湿気、埃、特に湿気による腐食、機械的摩耗、及び風に耐えることができなければならない。個々の層、印刷等は、幅広い方法で、例えば、貼り合せ、接着、はんだ付け、溶接によって、又は、接続を形成するための他の方法によって共に取り付けられ得る。具体的には、層又はマーキングもまた印刷され得る。
【００５２】
図４及び図５は、接地を確立するか又はシールドを生成するためのオプションを示す。図４は、通信ライン４１を有する測定テープ４０の略図を示す。金属かご室４２は、外側エリアに配置され、測定テープを、そのライン４１と共に閉囲する。更に、マーキングストリップ４３が設けられる。接続クリップＣ１、Ｃ２、Ｃｎは、それぞれの個々のフロアのレベルに配置され、同時に、ライン４１に対する接触要素を提供するため、対応する接続ライン４４は、それぞれ、クリップＣ１、Ｃ２、Ｃｎからルーティングされ得る。通信ライン４１は、シールドを達成するために、平行に配置されるか、又は対で撚り合わされ得る。対で配置されるラインの場合、接地ケーブルは、個々の通信ラインのそれぞれの間に配置される。通信ラインは、次に、ライン４４によって当該通信ラインと接続される電子機器からガルバニック絶縁される。通信ライン４１はまた、ガルバニック絶縁部４５によってエレベータシャフトの上側エリア内の他の電子機器に接続される。金属ケージは、接地ライン４６を介して測定テープの上側端に接地される。金属ケージは、キャパシタ４７を介して下側エリア内のグラウンドに接続される。キャパシタ４７は、干渉防止キャパシタとも称される。このキャパシタ４７は、高周波振動を放出するためのある種のバイパスを構成する。その理由は、測定テープ４０が、干渉防止キャパシタのないアンテナとして作用し得るからである。
【００５３】
図５は、通信ライン５１と、金属ケージ５２と、ライン５１に接触するための個々のクリップＣ１、Ｃ２、及びＣｎとを有する同様の測定テープ５０を示す。更に、連続マーキング５３が、測定テープ５０の長さに沿って外側エリア内に取り付けられる。接触されるライン５１は、ケーブル５４によって外にルーティングされ、クリップＣ１、Ｃ２、Ｃｎを介して更なる電子機器に接続される。ライン５１はまた、シールドのためにライン５１間に接地ケーブルがある状態で平行に配置され得るか、或いは、内部クロストークが生じないように対で撚り合わされ得る。すなわち、ラインは、信号を伝導するときに、互いに影響を及ぼさない。上側エリアでは、通信ライン５１は、次に、ガルバニック絶縁部５５を介して、更なる電子機器に、また、電力を供給するためのラインがライン５１内に設けられる場合、電圧源に接続される。
【００５４】
図５に係る本事例では、外側金属ケージ５２のグラウンドは、グラウンド接続部５６によって測定テープ５０の上側端部に設けられるだけでなく、具体的にはライン５７によって、他の場所の中でもとりわけ端部エリアにも設けられる。干渉防止キャパシタは設けられない。しかしながら、グラウンドが、測定テープの、遠く離れている異なる場所に取り付けられることにより過渡電流が全く流れないようにするため、グラウンドは、対応するライン５８ａ、５８ｂ、５８ｎを介して各フロアのレベルの各クリップＣ１、Ｃ２、及びＣｎに設けられる。
【００５５】
図６は、測定テープの長さに沿って平行に配置され、グラウンドケーブル６４、６５、６６、６７によって互いからシールドされる、複数の通信ラインケーブル及び電流伝導ケーブルの対６１、６２、６３を示す。更に、カバー６８が、個々のケーブルの上に取り付けられ、カバー６８は、同様に金属であってもよく、また、シールドを達成するためにグラウンドに接続される。スロット６９が、このカバー６８内の１つの位置に配置され、スロット６９のエリアにおいて、接触又はアクセスが、そのため直接可能である。
【００５６】
図７は、ケーブル対７１、７２、７３の同様の配置構成を示し、それぞれの対７１、７２、７３は撚り合わされ、それにより、シールドを達成する。更に、グラウンドケーブル７４、７５、７６、７７が、個々の対７１、７２、７３の間に配置されている。それを介して接触が起こり得る開口部７９を有する接地されたカバー７８もまた、ケーブルを覆って配置されている。
【００５７】
図８ａ及び図８ｂはまた、導電経路として形成（例えば、印刷）されるライン対８１、８２、８３を示す。図７に係る撚り合わせ構成と同様に、これらの導電経路８１、８２、８３は、メアンダー方式で配置される。導電経路は、メアンダー方式で互いに交差するようにプリントされ得る。異なる導電経路は、直接隣り合って配置されてもよいし、あるいは異なる層で積み重なって存在してもよい。導電経路の撚り合わせは、３つの導電経路の場合、組みひもと同様に３つの導電経路が撚り合わされるように実施され得るため、２つの異なる導電経路は、長手方向にある種の外向き膨出部を示し、（中央導電経路に対する）接触オプション８４が中央に形成される。導電経路は、次に、外側エリア内の接地されたケージ８５によって囲まれシールドされてもよい。図８ｂは、対応する測定テープの断面の同様な表示を上面図で示す。
【００５８】
対応する導電経路は、一般的に、いわゆる「ビア」を介して接触されてもよい。
図９は、外側ブラケットデバイス９１を有する接続デバイス９０を示し、外側ブラケットデバイス９１は、シャフト壁上にねじ込まれることができ、測定テープの周りに部分的に係合することができ、更に、穿孔型接点として形成される接触電極９２を有する。ブラケット９１は、開口部９３を有し、この開口部９３は、測定テープの一方の側に取り付けられるマーキングが、かご室上の光学センサによって読み出されることを可能にする。接点９２は、ケーブル９４によって外まで、例えば安全デバイスの電子機器までルーティングされる。接続接点９５ａ、９５ｂはまた、穿孔型接点として形成される。ブレード９５ｃは、測定テープの電気ラインを分離する絶縁体である。接触は、こうして、穿孔型接点９５ａ、９５ｂによる遮断の前又は後で起こる。穿孔型接点９５ａ、９５ｂは、通常運転中、安全電子機器に接続され、遮断をブリッジする。遮断は、そのため実際には、対応する欠陥が起こる場合にだけ起こる。この遮断は、安全回路における切断を生じさせ、例えば、エレベータの駆動装置が遮断されることをもたらす。それは、安全性を向上させるためのフェールセーフ回路である。
【００５９】
図１０は、接触オプションを示す。測定テープに沿って配置された通信ライン１００が最初に示される。通信ライン１００は、外側エリア内の絶縁体１０１及びライン１００の中央に配置された導体ワイヤ１０２を備える。ワイヤ１０２をケーブル１０３に接続するために、穿孔型接点１０４が、ケーブル１０３に取り付けられ、穿孔型接点１０４の切断縁部は、絶縁体１０１を切断し、また同様に、少なくとも縁部エリアにおいてワイヤ１０２の材料に部分的に貫通することができる。結果として、特に安定でかつ信頼性がある電気接続が確立される。
【００６０】
図１１は、導電経路１１１がその上に印刷される測定テープ１１０を示す。導電経路１１１は、ばね装荷式接触ピン１１２を介して接触される。これらのピンは、そのため、加圧されたばねを介して接触力を受け、加圧されたばねは、ピンと導電経路１１１との間に安定した接触が確立されることを保証する。
【００６１】
更に、例えば、無線接続を確立するオプションが存在する。図１２は、絶縁体１２１及びラインワイヤ１２２に対するライン１２０の容量性接続を示す。ライン１２０を部分的に囲繞するある種のクランプ１２３が、絶縁体１２１の外側エリアに設けられる。クランプ１２３は、そのため、クランプ１２３とワイヤ１２２との間に容量性接続が生成されるように蓄電板として機能する。図１３及び図１４は、ライン１３１がライン１３０に巻き付けられ、ライン１４１がライン１４０に巻き付けられる点で容量性結合を示す。
【００６２】
特に洗練された接続が図１５に示される。接触用の規則正しい開口部がグラウンドケージ内に設けられ得るのと同様な方法で、予め作製されたソケット１５０を、一定間隔で、例えば、２メートル間隔で配置することも可能である。ソケット１５０を各フロアに取り付けることも考えられる。測定テープ１５１内のそれぞれの個々のラインは、これらのソケット１５０を介して接触可能である。その理由は、それぞれの雌型接続部１５２が、測定テープ１５１内の対応するラインに既に予め接触しているからである。そして、対応する位置でプラグインされ得る別のプラグ１５３が、接触のために必要とされる。ソケット１５０は、必要とされない場合に取り外し可能であるか又は蝶番で外されるカバーを有する可能性があってもよく、そのため、汚れから保護されなければならない。しかしながら、テープの安定性のために、こうしたソケット１５０はまた、具体的には長手軸に沿うねじれを防ぐことができるという利点を有する。ソケット１５０は、例えば、それ自体が対応するマーキングユニットを有することによって、ソケット１５０が、例えば、かご室の光学カメラシステムに検出され得るように設計され得る。更に、接続プラグ１５３が対応するソケット１５０の１つに差し込まれているかを示す他の光学インジケータ、例えば、発光ダイオード（ＬＥＤ）が存在し得る。別個のアドレスが、各ソケット１５０に割り当てられ得る。ソケットは、測定テープに、クランプされる、接着される、はんだ付けされる、ねじ込まれる、クリップされる、又は他の方法で接続され得る。
図１６は、例えば、安全コントローラ１６１を有する対応する安全デバイス１６０を示し、安全コントローラ１６１は、エレベータコントローラ１６２に接続され、そのため、エレベータの駆動装置１６３を直接制御することができる。具体的には、安全コントローラ１６１は、緊急スイッチ１６４を介してエレベータの駆動装置を直接スイッチオフすることができる。光学スイッチＯ１、Ｏ２、Ｏ３、Ｏｎが各フロアに設けられ、光学スイッチは、例えば、位置情報を使用して又はエレベータの運転スイッチを使用して、バスラインを介して他のコンポーネントに接続され得る。各光学スイッチＯ１、Ｏ２、Ｏ３、Ｏｎは、例えば、シャフトドアが開放しているか、閉鎖しているかを示す。これらの対応するバスライン、並びに、電力ライン及びグラウンドライン１６５は、本発明に係る測定テープを介して全てのフロアにわたって相応してルーティングされ得る。
【００６３】
図１７は、かご室上に配置されたセンサ１７０を示し、このセンサ１７０は、光源と、光学受信機とを備え、マーキングを保持する測定テープ１７１がセンサ１７０によって読み出され得る。更に、測定テープ１７１の移動可能な支持のための支持体１７２が見える。図１６に示す光学スイッチは、図１８においてもう一度更に詳細に示される。接点が閉鎖すると、接触ブリッジ１８０は、主要素１８１の対応するスロットに係合する。光学ブリッジ１８０の２つの脚１８２及び１８３はそれぞれ、光送信機及び光受信機を構成する一方、光導体は、ブリッジ１８０がデバイス１８１に正しく係合する場合にだけ、１８２から１８３への光伝導が生じ得るように主要素１８１内に配置されている。スイッチは、例えば、エレベータのドアが実際に閉鎖していると、確実に判定され得ることを意味するこの状況下においてのみ「閉じられる」。
【００６４】
図１９は、支持体１９２内で移動可能に支持される接触デバイス１９３を有する接続デバイス１９１を有する測定テープ１９０を示し、接触デバイス１９３を介して、測定テープ内のラインが、（穿孔型接点１９４を介して）（しっかり）接触され得るので、経時的な建物の定着によって生じる建物の変化が検出され得る。測定テープ１９０は、シャフト壁に対して移動し、接触デバイス１９３を一緒に移動させるため、シャフト壁、ひいては、支持体１９２に対して移動する。図２０は、図１９に係るデバイスの上面図を示す。
【００６５】
更なる特定の実施形態では、具体的には、接続デバイス自体がマーキングユニットとして設けられ、例えば、マーキングユニットの外側面に取り付けられる情報を含む場合、接続デバイスは、マーキングの上に位置し、マーキングを覆い得ることが考えられる。具体的には、これは、位置情報であり得る。種々の送信オプションが、情報の送信及び通信のために考えられる。具体的には、種々のバスシステムもまた採用され得る。単方向通信バスと双方向通信バスとの双方が考えられる。
【００６６】
導電性が高い金属を使用するか、又は、大きな断面を有するワイヤを使用することによって、測定テープに沿って低オーム抵抗を有するワイヤを配置することも考えられる。この対策は、具体的には、ワイヤが電力を供給するために使用される場合に有利となり得る。その理由は、ワイヤが低い固有抵抗を有し、損失が低いからである。
【００６７】
ラインの数は、種々に、例えば、２つ、５つ、又はそれより多い数に選択され得る。２つのラインは、電力を供給するために使用され、電圧源のタップを構成してもよく、少なくとも１つのラインは、グラウンドとして設けられてもよく、２つの更なるケーブルは、通信のために使用されてもよい。ワイヤのうちの少なくとも１つは、有利には、安全デバイスに接続され得る。ＣＡＮバス又はＲＳ−４８５バスが、バスシステムとして使用され得る。主電力ラインは、信号が変調される場合、通信のために使用されてもよい。変調は、ＡＭ、ＦＭ、ＡＳＫ、ＦＳＫ、ＰＳＫ、ＱＰＳＫ、ＱＱＰＳＫ、Ｍ−ＰＳＫ、ｐｉ／４−ＰＳＫ、ＭＳＫ、ＧＭＳＫ、又は他の変調方法を手本にしてもよい。通信は、一般的に、アナログ手段又はデジタル手段によって実行され得る。
【００６８】
シールド用の撚り合せライン対は、例えば、１００オームのインピーダンスを有し得る。
［測定テープの特に好ましい特定の実施形態］
１つの特に好ましい特定の実施形態では、第１の層が存在し、第１の層は、汚れ、傷、又は他の機械的作用から表面を保護し、位置を決定するための印刷されたコードを含む。第１の層の背後に、赤外線に対して透過な層が配置され、その層は、（それらに向いている側の対応する表面が反射境界表面層を有する点で）全体として、反射体として機能する。測定テープ又はコードテープ全体は、機械的安定性を保証するために金属又は強化材料で作られるキャリアテープを有する。強化の程度及び強化の種類は、測定テープの長さに依存する。ラインは、ケーブルとして設計され、対で撚り合わされるため、シールドが、こうして達成され得る。更に、金属ケーシング又は別の方法で導電させるケーシングが設けられる。機械的強化のために使用される層はまた、シールドのために、あるいは、例えば印刷された位置コード用のキャリアとして又は反射層として使用され得る。異なる層が、互いに貼り合されるか又は共に接着される。
【００６９】
全体として、５つのライン、すなわち、電力を供給するための２つのライン、通信用の（安全デバイス用ではなく他の通信用の）２つのライン、及びバスラインが、本発明の好ましい特定の実施形態で使用される。バスラインは、グラウンドラインとともに安全デバイスによって使用される。別の更なるグラウンドラインを介して、更に大きな安定性が達成され得る。こうした特定の実施形態では、ワイヤの代わりに、印刷され得る導電経路を使用することも考えられる。これらの導電経路は、そのため、撚り合されるのではなく、シールド効果が達成され得るように、メアンダー方式で積み重ねて配置される。
【００７０】
個々のラインのそれぞれに対する接続は、例えば絶縁体を通してクリンプされる金接点を介して確立される。ワイヤ対の撚り合わせは、ほぼ２メートルごとに同じパターンを周期的にもたらすように実施されるため、接続は、特定の確実性を持って、対応する位置において規則的に一致する。接続ソケットは、測定テープにクランプされ、安全システム及び他の補助デバイスに接続される。
【００７１】
測定テープは、１つの位置で接地される。干渉防止キャパシタは、測定テープがアンテナとして作用しないように測定テープの他端上に配置される。安全バスは、アナログラインを介して延在し、電力及び電圧変調が実施される。全ての他のデバイス及び補助デバイスは、他の通信用に設けられる２つのラインを介して実装される。
［参照符号の一覧］
Ａ  エレベータデバイス
Ｓ  エレベータシャフト
Ｋ  かご室
Ｍ１  マーキング
Ｍ２  マーキング
Ｍ３  マーキング
Ｍｎ  マーキング
Ｖ１  接続デバイス
Ｖ２  接続デバイス
Ｖｎ  接続デバイス
１  測定テープ
２  上側サスペンション
３  マーキング側
４  ライン側
５  通信ライン
６  データライン
７  電子機器ユニット
８  光学センサ
１０  測定テープ
１１  キャリアテープ
１２  側部エリア
１３  マーキングストリップ
１４  ライン
１５  内側エリアの部分
２０  測定テープ
２１  キャリア
２２  反射体
２３  プラスチック層
２４  エアギャップ
２５  コード印刷
２６  アタッチメント
２７  絶縁体
２８  銅又はアルミニウムライン
２９  絶縁体
３０  導電経路
３１  絶縁層
４０  測定テープ
４１  ライン
４２  金属ケージ
４３  マーキング
４４  ライン
４５  ガルバニック絶縁
４６  グラウンドケーブル
４７  干渉防止キャパシタ
Ｃ１  クリップ
Ｃ２  クリップ
Ｃｎ  クリップ
５０  測定テープ
５１  ライン
５２  金属ケージ
５３  マーキング
５４  ライン
５５  ガルバニック絶縁
５６  グラウンドケーブル
５７  グラウンドケーブル
５８ａ  グラウンドケーブル
５８ｂ  グラウンドケーブル
５８ｎ  グラウンドケーブル
６１  導体対
６２  導体対
６３  導体対
６４  グラウンドケーブル
６５  グラウンドケーブル
６６  グラウンドケーブル
６７  グラウンドケーブル
６８  グラウンドカバー
６９  開口部
７１  ライン対
７２  ライン対
７３  ライン対
７４  グラウンドケーブル
７５  グラウンドケーブル
７６  グラウンドケーブル
７７  グラウンドケーブル
７８  シールド
７９  開口部
８１  導電経路対
８２  導電経路対
８３  導電経路対
８４  接点
８５  シールド
９０  接続デバイス
９１  ブラケット
９２  接続電極／穿孔型接点
９３  開口部
９４  ケーブル
９５ａ  穿孔型接点
９５ｂ  穿孔型接点
９５ｃ  絶縁遮断ナイフ
１００  ライン
１０１  絶縁体
１０２  ラインワイヤ
１０３  ケーブル
１０４  クリンピングデバイス
１１０  測定テープ
１１１  導電経路
１１２  コンシューマフィンガー
１２０  ケーブル
１２１  絶縁体
１２２  ワイヤ
１２３  蓄電板
１３０  ケーブル
１３１  ケーブル
１４０  ケーブル
１４１  ケーブル
１５０  ソケット
１５１  測定テープ
１５２  雌型接触コネクタ
１５３  プラグ
１６０  安全システム
１６１  安全コントローラ
１６２  エレベータコントローラ
１６３  駆動装置
１６４  直接切断部
１６５  ライン
Ｏ１  光学スイッチ
Ｏ２  光学スイッチ
Ｏ３  光学スイッチ
Ｏｎ  光学スイッチ
１６６  補助デバイス
１７０  光学センサ
１７１  測定テープ
１７２  支持体
１８０  光学ブリッジ
１８１  主要素
１８２  脚
１８３  脚
１９０  測定テープ／コードテープ
１９１  接続デバイス
１９２  支持体
１９３  移動可能に支持された接触要素
１９４  穿孔型接点
【図１】
2015051876.tif 000003
【図２】
2015051876.tif 000004
【図３】
2015051876.tif 000005
【図４】
2015051876.tif 000006
【図５】
2015051876.tif 000007
【図６】
2015051876.tif 000008
【図７】
2015051876.tif 000009
【図８ａ−８ｂ】
2015051876.tif 000010
【図９】
2015051876.tif 000011
【図１０】
2015051876.tif 000012
【図１１】
2015051876.tif 000013
【図１２】
2015051876.tif 000014
【図１３】
2015051876.tif 000015
【図１４】
2015051876.tif 000016
【図１５】
2015051876.tif 000017
【図１６】
2015051876.tif 000018
【図１７】
2015051876.tif 000019
【図１８】
2015051876.tif 000020
【図１９】
2015051876.tif 000021
【図２０】
2015051876.tif 000022
【外国語明細書】
2015051876000001.pdf